(57)【要約】本発明の排出台は、容器の開口に結合される本体と、前記本体に設けられて、作動部と結合部を持つ口部と、前記口部の作動部に形成されて上下移動される排出誘導部および前記本体を密閉させるために結合部に結合される上部蓋と、を含む。前記口部には側面排出孔のある密閉突起が設けられ、前記密閉突起は前記排出誘導部の底部を密閉させる。
2006519148.tif 000002
【特許請求の範囲】
【請求項１】
容器の開口に結合される本体；
前記本体に設けられて、作動部と結合部を持つ口部；
前記口部の作動部に形成されて上下移動される排出誘導部；および
前記本体を密閉させるために結合部に結合される上部蓋；を含み、
前記口部には側面排出孔がある密閉突起が設けられ、前記密閉突起は前記排出誘導部の底部を密閉させることを特徴とする排出台。
【請求項２】
前記排出誘導部の下端に一定の範囲に上下作動を制限するための環輪を形成することを特徴とする請求項１記載の排出台。
【請求項３】
前記排出誘導部に空気流入部を形成することを特徴とする請求項１記載の排出台。
【請求項４】
容器に結合される本体；
前記本体に移動可能に結合される排出部；
前記本体と排出部を密閉させる上部蓋；および
前記本体の底部に設けられて空間を形成する支持部；を含み、
前記支持部の下端及び前記排出部の下端が薄板で密閉されることを特徴とする排出台。
【請求項５】
前記排出部が上方に移動する過程で薄板が破壊されながら空間が開くことを特徴とする請求項４記載の排出台。
【請求項６】
前記支持部の内壁部に薄板を破壊するための穿孔突起を形成することを特徴とする請求項４記載の排出台。
【請求項７】
前記排出部に側面排出孔を形成することを特徴とする請求項５記載の排出台。
【請求項８】
前記口部に排出部が一定の高さ以上に上方に移動するのを防止するための掛かり突起を形成することを特徴とする請求項７記載の排出台。
【請求項９】
前記排出孔および側面排出孔に微細な穿孔が形成されることを特徴とする請求項７記載の排出台。
【請求項１０】
前記排出部に補助側面排出孔を形成することを特徴とする請求項４記載の排出台。
【請求項１１】
前記排出部に補助排出部が挿入されることを特徴とする請求項１０記載の排出台。
【請求項１２】
容器に結合される本体；
前記本体に移動可能に結合される排出部；
前記本体と排出部を密閉させる上部蓋；および
前記本体の底部に設けられて空間を形成する支持部；を含み、
前記排出部の下端が空間に位置し、前記空間は排出部が上方に移動する時に開くことを特徴とする排出台。
【請求項１３】
前記支持部に前記排出部が上方に移動される時に破壊される密閉部を形成することを特徴とする請求項１２記載の排出台。
【請求項１４】
容器に結合される本体；
前記本体に移動可能に結合される排出部；
前記本体と排出部を密閉させる上部蓋；および
前記本体の底部に設けられて空間を形成する支持部；を含み、
前記排出部の下端が空間に位置し、前記空間は前記排出部が上方に移動する時に開かれ、 前記支持部には前記排出部が上方に移動する時に破壊される密閉部が形成されることを特徴とする排出台。
【請求項１５】
前記排出部に微細な穿孔が形成された側面排出孔を形成することを特徴とする請求項１４記載の排出台。
【請求項１６】
前記上部蓋の上方にキャラクター人形が挟まれる挟み部を形成することを特徴とする請求項１４記載の排出台。
【請求項１７】
前記排出部に空気流入部を形成することを特徴とする請求項１４記載の排出台。
【請求項１８】
容器に結合される本体；
前記本体に移動可能に結合される排出部；
前記本体と排出部を密閉させる上部蓋；および
前記本体の底部に設けられて空間を形成する支持部；を含み、
前記排出部の下端が空間に位置し、前記空間は前記排出部が上方に移動する時に開かれ、 前記支持部には前記排出部が上方に移動する時に破壊される密閉部が形成され、 前記空間は空間が開かれる時に容器内の内容物と混合されるパウダーまたはエキスを収納できることを特徴とする排出台。
【発明の詳細な説明】
【技術分野】
【０００１】
本発明は上下作動形排出誘導部を有する排出台に係り、より詳しくは、別途にパウダー及びエキスなどの内容物を保管しながらこのパウダー及びエキスなどを使用中に容器内の内容物と混合することができる上下作動形排出誘導部を有する排出台に関する。
【背景技術】
【０００２】
米国特許6,435,383号には、容器内の内容物を吸飲することができ、かつ、その内容物を他の容器に移すことができる排出台が開示されている。
本発明は、前記米国特許に開示された機能を持ち、かつ、パウダー及びエキスなどの内容物を別途に収納して、このパウダー及びエキスなどを使用中に容器内の内容物と混合することができる排出台を提供する。
【発明の開示】
【発明が解決しようとする課題】
【０００３】
本発明は、このような実情に鑑みてなされ、パウダー及びエキスなどの別の内容物を収納し、かつ、この別の内容物を使用中に容器内の内容物と混合することができる排出台を提供することを目的とする。
【課題を解決するための手段】
【０００４】
上記目的を達成するために、本発明は、容器の開口に結合される本体；前記本体に設けられて、作動部と結合部を持つ口部；前記口部の作動部に形成されて上下移動される排出誘導部；および前記本体を密閉させるために結合部に結合される上部蓋；を含み、前記口部には側面排出孔がある密閉突起が設けられ、前記密閉突起は前記排出誘導部の底部を密閉させるようした排出台を提供する。
【０００５】
また、本発明の別の形態では、容器に結合される本体；前記本体に移動可能に結合される排出部；前記本体と排出部を密閉させる上部蓋；および前記本体の底部に設けられて空間を形成する支持部；を含み、前記支持部の下端及び排出部の下端が薄板で密閉されるように構成される。
【０００６】
また、本発明は、別の目的から、容器に結合される本体；前記本体に移動可能に結合される排出部；前記本体と排出部を密閉させる上部蓋；および前記本体の底部に設けられて空間を形成する支持部；を含み、前記排出部の下端が空間に位置し、前記空間は排出部が上方に移動する時に開くように構成される。
【０００７】
また、本発明は、別の目的から、容器に結合される本体；前記本体に移動可能に結合される排出部；前記本体と排出部を密閉させる上部蓋；および前記本体の底部に設けられて空間を形成する支持部；を含み、前記排出部の下端が空間に位置し、前記空間は前記排出部が上方に移動する時に開かれ、 前記支持部には前記排出部が上方に移動する時に破壊される密閉部が形成されるように構成される。
【０００８】
また、本発明の別の形態では、容器に結合される本体；前記本体に移動可能に結合される排出部；前記本体と排出部を密閉させる上部蓋；および前記本体の底部に設けられて空間を形成する支持部；を含み、前記排出部の下端が空間に位置し、前記空間は前記排出部が上方に移動する時に開かれ、 前記支持部には前記排出部が上方に移動する時に破壊される密閉部が形成され、 前記空間は空間が開かれる時に容器内の内容物と混合されるパウダーまたはエキスを収納できるように構成される。
【発明の効果】
【０００９】
以上記載したように、本発明は、排出誘導部と作動部が突出しているので、使用者は容器に口を当てなくても排出誘導部の上端から内容物を容易に飲用できる。また、密閉突起が密閉力を向上させる。
【００１０】
そして、パウダーおよびエキスを排出台に収納できるので、排出台を多様な用途に使用することができる。
【発明を実施するための最良の形態】
【００１１】
以下、本発明の好ましい実施形態を添付した図面を参照して説明する。
図１及び図２は本発明の第１実施形態による排出台を図示している。
【００１２】
図示した通り、本発明の排出台１は本体1００と、前記本体１００の口部１１０に組み立てられる排出誘導部２００とからなる。
【００１３】
そして、前記口部１１０及び排出誘導部２００の外部に蓋３００が結合されている。
【００１４】
前記本体１００は各様の容器の首に結合されるように構成される。
【００１５】
前記本体１００には排出誘導部２００を受容する作動部１１１が形成されて、その作動部１１１の外部には螺子山とか敷居が形成される。
【００１６】
前記排出誘導部２００は作動部１１１の内壁に密着されて移動されるように構成される。 前記排出誘導部２００は、その下端部に環輪２０１を形成して、 排出台１の上下方向の移動を一定の範囲で制限する。 前記作動部１１１は環輪２０１が作動部１１１の下端の内壁に形成された環溝１１２に掛かって人為的な力を加えらない限り、動かないように構成することができる。
【００１７】
前記環輪２０１の位置は、排出誘導部２００が一定の距離以上に移動しないような程度であれば変位可能である。
【００１８】
前記排出誘導部２００の上端部には掛かり環輪２０３を形成し、その掛かり環輪２０３の下部には密閉面が確保される。 前記排出誘導部２００の外面には空気流入部２０４を形成する。
【００１９】
前記作動部１１１に組み立てられた排出誘導部２００を中心にして蓋３００を組み立てる。
【００２０】
前記蓋３００は上面部３０１及び側面部３０２とからなり、前記側面部３０２の上端内壁部には前記排出誘導部２００を持ち上げる掛かり環突起３０３を形成する。また作動部１１１の外環部に形成された螺子山に螺合する螺子溝を側面部３０２の内壁部に形成する。
【００２１】
また、前記口部１１０の底部には排出誘導部２００の底部を密閉させる密閉突起１１３を形成する。前記密閉突起１１３には側面排出孔１１４が形成されて、排出誘導部２００が持ち上げられる時、 側面排出孔１１４を経由して内容物が移動できる。
【００２２】
このような本発明の作動状態を以下に説明する。
使用時には、蓋３００を取り外すと、掛かり環突起３０３が掛かり環輪２０３に掛かかっているので、前記排出誘導部２００が上向きに移動する。この時、前記排出誘導部２００の底部は密閉突起１１３から離間する。
【００２３】
また、前記蓋３００が口部１１０の作動部１１１から外れる過程で、前記排出誘導部２００の環輪２０１が環溝１１２に掛かってもう上向きに移動できなくなると、前記掛かり環突起３０３が排出誘導部２００の掛かり環輪２０３から外れることとなる。このような状態が図２に示されている。
【００２４】
このような状態で、使用者が容器を一側に傾けて排出誘導部２００の上端を吸うと、容器内の内容物が側面排出孔１１４及び排出孔２０２を通じて吸出される。 内容物が吸出されると、空気流入部２０４を通じて外の空気が容器内に流入することで、使用者は容器を収縮状態にすることなく飲用できる。
【００２５】
前記排出誘導部２００の上下移動は指でも行うことができる。
【００２６】
図１に示した通り、前記排出誘導部２００及び密閉突起１１３によって定義される密閉空間には別途のパウダーまたはエキスを収納できるように構成される。
【００２７】
従って、図２に示す通り、前記排出誘導部２００が上方に移動すると、パウダーまたはエキスが側面排出孔１１４を通じて容器内に落ちて容器内の内容物と混合される。
【００２８】
図３及び図４は本発明の第２実施形態による排出台を示す断面図である。
図示した通り、本発明の排出台１は、本体１０、排出部２０、前記本体１０と排出部２０を密閉する上部蓋３０とからなる。
【００２９】
例えば、前記本体１０は上面部１１及び側面部１２とからなる。前記上面部１１の上側には長く一定に延長された口部１３が形成される。前記上面部１１の底部から延びる空間１５のある支持部１４を形成する。
【００３０】
前記排出部２０は口部１３に結合される。 前記排出部２０はその上端及び下端にストッパーが設けられて、排出部２０が口部１３から分離されないようにする。
【００３１】
前記口部１３に結合された排出部２０は上部蓋３０によって上下移動される。例えば、 前記排出部２０には、上部蓋３０の環敷居３１に結合される環突起２１がその上部に形成される。従って、上部蓋３０を回して上方に移動させると、排出部２０は上部蓋３０と共に上方に移動する。その際に、排出部２０の下側に形成された掛かり突起２２が口部１３の底部に掛かっているため、環突起２１が環敷居３１から外れる。
【００３２】
前記排出部２０が口部１３に結合されている時、その排出部２０の下端部及び支持部１４の下端部はアルミニウム薄板のようなシールフィルム（本発明の薄板）Ｓにより密閉される。
【００３３】
従って，前記排出部２０が上部蓋３０により上方に引き上げられる時に、シールフィルムＳは破壊される。そのために、前記支持部１４の内壁部に多数の穿孔突起１６を形成している。
【００３４】
前記排出部２０には排出孔２３と連通する側面排出孔２４が形成される。
【００３５】
この実施形態の作動状態を以下に説明する。
例えば、本体１０は容器の首に結合される。この状態で、上部蓋３０を開封すると、排出部２０が上方に移動される過程に、シールフィルムＳが穿孔突起１６によって破壊されて空間１５が開封される。
【００３６】
そして、前記上部蓋３０をさらに回すと、排出部２０はそれ以上は上方に移動することなく止まる。この状態で、上部蓋３０をさらに回すと、排出部２０及び口部１３から上部蓋３０が完全に分離される。
【００３７】
前記過程が図４に示されている。使用時には、容器を一側に傾けると、容器の内部に入れた内容物が側面排出孔２４及び排出孔２３を通じて排出される。この時、排出部２０の側方部に空気流入部２５が形成される。
【００３８】
前記空間１５には、シールフィルムＳが破壊される時に、容器に入れた内容物と混合されるパウダー及びエキスを収納することができる。
【００３９】
また、図５および図６に示すように、本発明では、補助側面排出孔２０１と補助排出部２１０が図６のような排出部２０に組み合われた移動形排出部２０を提供する。
【００４０】
前記移動形排出部２０が上方に持ち上げられると、補助側面排出孔２０１が口部１３の内壁部に密着されて支えられる。この状態で、排出部２０を吸うと、容器内の内容物は補助排出部２１０を通じて排出される。
【００４１】
また、排出部２０を下方に移動させると、補助側面排出孔２０１が開いて内容物は補助側面排出孔２０１を通じて排出される。
【００４２】
同時に、排出部２０の空間には、排出部２０が上方に移動される時に、内容物と混合されるパウダー及びエキスを入れることができる。
【００４３】
図７乃至図１６は本発明の第３実施形態に従う排出台１を示している。
【００４４】
図示する通り、排出台１は本体１０と、排出部２０及び前記排出部２０と本体１０を密閉する上部蓋３０とからなる。
【００４５】
例えば、前記本体１０は上面部１１及び側面部１２とからなる。 口部１３は上面部１１の上側から上方に延長して形成される。前記上面部１１の底部から延びる空間１５を有する支持部１４が形成される。
【００４６】
前記排出部２０は口部１３に結合される。 前記排出部２０はその上端及び下端にストッパーが設けられて、排出部２０が口部１３から分離されないようにする。
【００４７】
前記口部１３に結合された排出部２０は上部蓋３０によって上下移動される。例えば、 前記排出部２０には、上部蓋３０の環敷居３１に結合される環突起２１がその上部に形成される。従って、上部蓋３０を回して上方に移動させると、排出部２０は上部蓋３０と共に上方に引き上げられる。そして、排出部２０の下側に形成された掛かり突起２２が口部１３の底部に掛かって、環突起２１が環敷居３１から外れる。
【００４８】
前記排出部２０が口部１３に結合されている時、その排出部２０の下端部及び支持部１４の下端部はアルミニウム薄板のようなシールフィルムＳにより 密閉される。
【００４９】
従って，前記排出部２０が上部蓋３０により上方に引き上げられる時に、シールフィルムＳは破壊される。そのために、前記支持部１４の内壁部に多数の穿孔突起１６を形成している。
【００５０】
前記排出部２０には排出孔２３と連通する側面排出孔２４が形成される。
そして、密閉力を向上させるために、前記口部１３の上端の内壁部には弾力片１７を形成し、外環部には口部密閉部１８を形成する。前記口部１３には排出部２０が一定の距離以上に上方に移動するのを防止するための掛かり突起挿入溝Ｈを形成している。
【００５１】
前記支持部１４の外環には容器の首の内壁部に密着されて密閉できる内栓ＩＳが形成される。
【００５２】
前記排出部２０にはその内壁部を密閉する弾力片２５を形成する。また、前記排出部２０の外側向には弾力片１７に対応する密閉壁２６を形成する。
【００５３】
前記排出部２０には孔が穿孔されたシール部接着面２８を形成する。
【００５４】
前記上部蓋３０は排出部２０の環突起２１を受容できる環突起挿入溝３２を形成し、そして弾力片２５に対応される内栓３３を形成する。
【００５５】
前記上部蓋３０には口部の口部密閉部１８に対応される密閉壁３４を形成する。また、前記上部蓋３０の上部には、キャラクター人形が挟まれる挟み部３５が形成される。
【００５６】
図１２に示すように、 前記挟み部３５の中央部は射出成形のための凹面状に形成されている。即ち，作動コア３６が射出成形において挟み部３５の成形を助ける。
【００５７】
前記キャラクター人形には挟み部３５に掛かって固定される敷居が形成される。
【００５８】
そして、前記キャラクター人形を確かに固定するために、排出台１の本体１０を中心に結合される外部覆い４０が形成される。 前記外部覆い４０は切断されたファネル形態に形成される。 前記外部覆い４０には本体１０に掛かる敷居４３が形成される。
【００５９】
このような排出台１の作動状態を以下に説明する。
本体１０は容器１００の首に結合される。使用時は、上部蓋３０を開封すると、その過程でシールフィルムＳが穿孔突起１６によって破壊されて空間１５が開放される。
【００６０】
そして、上部蓋３０をもう少し回すと、排出部２０が上方に移動した後、口部１３の掛かり突起挿入孔Ｈによりもう上方に移動することができなくなり停止する。この時、上部蓋３０をさらに回すと、排出部２０及び口部１３から上部蓋３０が完全に分離される。
【００６１】
前記容器１００を一側に傾けると、容器１００に入れた内容物が側面排出孔２４及び排出孔２３を通じて排出される。なお、内容物が排出する間に、空気流入部２５を通じて容器内部に空気が流入されるため、使用者は容器を圧縮状態にすることなく飲用できる。
【００６２】
使用の後、弾力片１７、２５が持続的に密閉力を維持するので、シールフィルムＳの破壊後にも密閉性を持続させることができる。
【図面の簡単な説明】
【００６３】
【図１】本発明の第１実施形態に係る排出台の断面図である。
【図２】同排出台の作動状態を説明する部分断面図である。
【図３】本発明の第２実施形態に係る排出台の断面図である。
【図４】同排出台の作動状態を説明する部分断面図である。
【図５】同排出台の変形例である。
【図６】同排出台の作動状態を説明する部分断面図である。
【図７】本発明の第３実施形態に係る排出台の断面図である。
【図８】同排出台の作動状態を説明する部分断面図である。
【図９】同排出台が容器に組み立てられた使用状態を示す説明図である。
【図１０】同本体の断面図である。
【図１１】同口部の部分拡大図である。
【図１２】同上部蓋の拡大図である。
【図１３】同排出台の部分拡大図である。
【図１４】同排出台の正面図である。
【図１５】同他の排出台の正面図である。
【図１６】同外部覆いの一部の説明図である。
【図１】
2006519148.tif 000003
【図２】
2006519148.tif 000004
【図３】
2006519148.tif 000005
【図４】
2006519148.tif 000006
【図５】
2006519148.tif 000007
【図６】
2006519148.tif 000008
【図７】
2006519148.tif 000009
【図８】
2006519148.tif 000010
【図９】
2006519148.tif 000011
【図１０】
2006519148.tif 000012
【図１１】
2006519148.tif 000013
【図１２】
2006519148.tif 000014
【図１３】
2006519148.tif 000015
【図１４】
2006519148.tif 000016
【図１５】
2006519148.tif 000017
【図１６】
2006519148.tif 000018
【国際調査報告】
2006519148.tif 000019